(57)【要約】 【課題】  ケースを大型化することなく、基板をケースの内部に固定することができ、基板またはケースに変形が生じても、基板に実装した電子部品がケースの内部壁面に接触することがない電子制御機器を提供する。【解決手段】  電子部品１０が実装された基板８と、成形型に流し込んだ材料が固まることによって成形型で成形されるケース２とを備える。ケース２は、底部３と底部３の周縁部から立ち上がる胴部４とを有し、底部３が接続される胴部４の一端部側に対する他端部側は開口する。基板８は、基板８の電子部品１０が実装される実装面９と、ケース２の内部空間６に臨み、抜き勾配に応じた傾斜角を有する胴部４の内部壁面７のうちの少なくとも１つとが平行になるようにケース２の内部空間６に収容される。【選択図】      図２
2010186973.tif 000002
【特許請求の範囲】
【請求項１】
電子部品が実装された基板と、
成形型に流し込んだ材料が固まることによって前記成形型で成形されるケースとを備え、
前記ケースは、底部と前記底部の周縁部から立ち上がる胴部とを有し、前記底部が接続される前記胴部の一端部側に対する他端部側は開口し、
前記基板は、前記基板の電子部品が実装される実装面と、前記ケースの内部空間に臨み、抜き勾配に応じた傾斜角を有する前記胴部の内部壁面のうちの少なくとも１つとが平行になるように前記ケースの内部空間に収容されることを特徴とする電子制御機器。
【請求項２】
前記ケースの内部壁面には前記基板を固定する固定部が設けられ、
前記固定部は、前記ケースの内部空間に収容される前記基板の実装面と平行であって、前記実装面の端部を支持する支持面を有することを特徴とする請求項１に記載の電子制御機器。
【請求項３】
前記実装面と、前記実装面と平行な前記胴部の内部壁面との間には、予め定める距離の隙間が設けられることを特徴とする請求項１または２に記載の電子制御機器。
【請求項４】
前記胴部の内部壁面には、前記基板が前記ケースの内部空間に収容されるときに、前記実装面の端部を前記支持面に案内する案内部が設けられることを特徴とする請求項２または３に記載の電子制御機器。
【請求項５】
前記ケースは、前記基板が前記ケースの内部空間に収容される方向と直交する前記基板の幅方向と平行な平面であって、前記胴部の中心軸を含む平面について左右対称であることを特徴とする請求項１〜４のうちのいずれか１つに記載の電子制御機器。
【発明の詳細な説明】
【技術分野】
【０００１】
本発明は、電子部品が実装される基板をケースに収容する電子制御機器に関する。
【背景技術】
【０００２】
図１は、従来技術に係るＥＣＵ(Electric Control Unit)４１の概略の構成を示す断面図である。ＥＣＵ４１のケース４２には、電子部品４６およびコネクタ４４が実装された基板４３が収容される。ケース４２の開口４８は、基板４３が収容された後に、蓋４５によって覆われる。ケース４２は、成形型に流し込んだ樹脂が固まることによって成形される。ケース４２の内部壁面４７は、ケース４２の内部空間が成形されるときの抜き勾配に応じた傾斜角を有する。内部壁面４７の傾斜角は、ケース４２の開口４８からケース４２の底面５１に向かって進むにつれて内部空間の断面が狭まるように形成される。
【０００３】
基板４３は、電子部品４６が実装された実装面５３と内部壁面４７とが対向した状態で、内部壁面４７の裏面である外部壁面４９と平行になるように固定される。コネクタ４４は、電子部品４６が実装された実装面５３の裏面側の実装面５４に実装される。したがって、基板４３の実装面５３と、実装面５３と対向する内部壁面４７との隙間５０は、ケース４２の開口４８からケース４２の底面５１に向かって進むにつれて小さくなる。
【０００４】
特許文献１に開示されている電子制御機器は、基板がケースの内部壁面に形成されたスリット溝を介してケースに収容される。スリット溝は、抜き勾配に基づく抜き寸法を有するので、スリット溝の幅は、ケースの内壁面開口では底部側に比べて広い。ケースの開口付近では、基板が傾くことができる範囲が広くなり、基板がケースに収容される際に、基板に実装された電子部品がケースに接触する場合がある。あるいは、ケースの開口付近で、基板がケースのスリット溝から外れることがある。特許文献１には、基板がケースに収容される際に、基板が板厚方向に対して最も傾いた状態であっても、基板に実装された電子部品がケースの開口あるいは内壁面に接触しないような寸法関係とすることが開示されている。
【０００５】
特許文献２には、ケースの内壁面に成形時の抜き勾配があっても、基板に実装されケース内部に収容されたコネクタの挿入方向を、相手側のコネクタの挿入方向に一致させるために、ケースの外壁面に抜き勾配に基づく傾き寸法を補正するリブ部が一体的に形成されることが開示されている。
【先行技術文献】
【特許文献】
【０００６】
【特許文献１】特開２０００−２４４１５０号公報
【特許文献２】特開２０００−１８３５４２号公報
【発明の概要】
【発明が解決しようとする課題】
【０００７】
ケース４２の底部５５近傍で、基板４３またはケース４２に変形が生じた場合には、基板４３に実装される電子部品４６がケース４２の内部壁面４７に接触する可能性がある。底面５１には、ケース４２に収容される基板４３の一端部を固定する凹部５２が設けられるが、ケース４２の内部壁面４７に設けられる傾斜角が大きい場合には、凹部５２を設けるスペースを確保することができない場合がある。
【０００８】
特許文献１には、基板がケースに収容された後に、基板に実装された電子部品がケースに接触することを防止することについては開示されていない。特許文献２には、基板に実装されケース内部に収容される電子部品がケースの内部壁面に接触することを防止することについては開示されていない。
【０００９】
本発明の目的は、ケースを大型化することなく、基板をケースの内部に固定することができ、基板またはケースに変形が生じても、基板に実装した電子部品がケースの内部壁面に接触することがない電子制御機器を提供することである。
【課題を解決するための手段】
【００１０】
本発明（１）は、電子部品が実装された基板と、
成形型に流し込んだ材料が固まることによって前記成形型で成形されるケースとを備え、
前記ケースは、底部と前記底部の周縁部から立ち上がる胴部とを有し、前記底部が接続される前記胴部の一端部側に対する他端部側は開口し、
前記基板は、前記基板の電子部品が実装される実装面と、前記ケースの内部空間に臨み、抜き勾配に応じた傾斜角を有する前記胴部の内部壁面のうちの少なくとも１つとが平行になるように前記ケースの内部空間に収容されることを特徴とする電子制御機器である。
【発明の効果】
【００１１】
本発明（１）によれば、電子部品が実装された基板と、成形型に流し込んだ材料が固まることによって成形型で成形されるケースとを備え、ケースは、底部と底部の周縁部から立ち上がる胴部とを有し、底部が接続される胴部の一端部側に対する他端部側は開口し、基板は、基板の電子部品が実装される実装面と、ケースの内部空間に臨み、抜き勾配に応じた傾斜角を有する胴部の内部壁面のうちの少なくとも１つとが平行になるように前記ケースの内部空間に収容されるので、電子部品が実装される実装面と内部壁面とで囲まれる隙間は、開口から底部に向かって進むにつれて狭くなることがなく、一定の広さを確保することができる。基板に実装された電子部品がケースの底部の近傍に配置される場合であっても、電子部品が開口の近傍に配置される場合に確保される電子部品と内部壁面との隙間と同一の隙間が確保される。したがって、ケースを大型化することなく、基板をケースの内部に固定することができ、基板またはケースに変形が生じても、基板に実装した電子部品がケースの内部壁面に接触することがない。
【図面の簡単な説明】
【００１２】
【図１】従来技術に係るＥＣＵ４１の概略の構成を示す断面図である。
【図２】本発明の実施の一形態であるＥＣＵ１の概略の構成を示す断面図である。
【図３】基板８がケース２の内部に収容される手順を示す図である。
【図４】ＥＣＵ１の概略の構成を示す斜視図である。
【発明を実施するための形態】
【００１３】
以下、図面を参照しながら本発明を実施するための形態を説明する。以下の説明においては、先行する形態ですでに説明している事項に対応している部分には同一の参照符を付し、重複する説明を略する場合がある。構成の一部のみを説明している場合、構成の他の部分は、先行して説明している形態と同様とする。実施の形態で具体的に説明している部分の組合せばかりではなく、特に組合せに支障が生じなければ、実施の形態同士を部分的に組合せることも可能である。また実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。
【００１４】
図２は、本発明の実施の一形態であるＥＣＵ (Electric Control Unit) １の概略の構成を示す断面図である。電子制御機器であるＥＣＵ１は、ケース２と基板８と蓋１９とを備える。ケース２は、成形型に流し込んだ樹脂が固まることによって成形する樹脂成形によって成形される。ケース２は、底部３と底部３の周縁部から立ち上がる胴部４とを備える。底部３が接続される胴部４の一端部側に対する他端部側には開口５が形成される。ケース２は、不図示の胴部４の中心軸を含み、基板８の実装面９と直交する平面で切断した断面がコの字型である。ケース２は、底部３と胴部４とによって囲まれる内部空間６を有し、胴部４の内部壁面７は、内部空間６を形成するための抜き勾配に応じた傾斜角を有する。内部空間６は、開口５から底部３に向かって進むにつれて狭くなる。
【００１５】
基板８の実装面９には電子部品１０が実装され、電子部品１０が実装される実装面９の裏面側の実装面１１にはコネクタ１２が実装される。電子部品１０とコネクタ１２とが実装された基板８は、ケース２の開口５からケース２の内部空間６に収容される。コネクタ１２は、基板８が収容されたときに、コネクタ１２が開口５に配置されるように基板８に実装される。
【００１６】
ケース２の内部壁面である底面１３には、固定部である凹部１４が設けられる。凹部１４は、基板８の端部である収容方向先端部１５を挟持し、ケース２の底部３に固定する。凹部１４は、支持面１６を有する。支持面１６は、収容方向先端部１５の実装面９を支持する。支持面１６は、凹部１４を形成するための抜き勾配に応じた傾斜角を有する。支持面１６の傾斜角は、支持面１６と胴部４の内部壁面７とが平行になるような傾斜角である。
【００１７】
基板８に実装されたコネクタ１２は、開口５の予め定めた位置に配置されるので、基板８は、予め定められた位置を基準として、基板８の実装面９と内部壁面７とが平行になるようにケース２に固定される。凹部１４は、内部壁面７と平行である実装面９の端部と支持面１６とが面接触する位置に設けられる。開口５は、基板８の収容方向先端部１５が凹部１４に固定された後に、蓋１９によって覆われる。
【００１８】
内部空間６のうち、電子部品１０が実装される実装面９と内部壁面７とで囲まれる隙間１７は、開口５から底部３に向かって進むにつれて狭くなることがなく、一定の広さを確保することができる。基板８に実装される電子部品１０がケース２の底部３の近傍に配置される場合であっても、電子部品１０が開口５の近傍に配置される場合に確保される実装面９と内部壁面７との隙間と同一の隙間が確保される。
【００１９】
実装面９と内部壁面７との隙間を、基板８またはケース２に変形が生じても基板８に実装した電子部品１０が内部壁面７に接触することがない予め定められた距離の隙間とすることができる。内部空間６は、図１に示したケース４２より狭くすることができるので、内部空間６を形成する胴部４の肉厚を厚くすることができ、変形が生じにくいケース２を提供することができる。基板８は、実装面９の端部と凹部１４の支持面１６とが面接触することによって、ケース２に安定して固定することができる。
【００２０】
ケース２のコの字型断面は、胴部４の中心軸に対して対称である。ケース２には、凹部１８が設けられる。凹部１４と凹部１８とは、胴部４の中心軸に対して対称である。基板８が内部壁面と平行になるように収容される場合であっても、収容方向先端部１５が、凹部１４とは胴部４の中心軸に対して対称に設けられる凹部１８によって挟持されることによって、基板８は、実装面９と、実装面９の裏面である実装面１１とが、上下逆向きになるように収容することができる。基板８に実装されるコネクタ１２も上下逆向きに配置することができる。
【００２１】
図３は、基板８がケース２の内部に収容される手順を示す図である。ケース２に収容される基板８の実装面９または実装面９の裏面である実装面１１と直交し、基板８が収容される方向と平行である内部壁面２０には、案内部である案内溝２１が設けられる。案内溝２１は、基板８の幅方向両側に設けられる。案内溝２１は、基板８が収容される方向に延びるように形成される。案内溝２１は、胴部４の中心軸と直交する平面で切断した断面がコの字型である。ケース２に収容される基板８の幅方向両端部は、基板８がケース２に収容されるに従って、順次案内溝２１の内部に挿入される。
【００２２】
図３（ａ）は、基板８の先端部がケース２の内部に収容された状態を示す図である。図３（ｂ）は、図３（ａ）の状態から、さらに基板８の先端部がケース２の内部に収容された状態を示す図である。コの字型の案内溝２１の溝幅は、基板８が傾くことができる角度内において、基板８に実装した電子部品１０あるいはコネクタ１２が開口５の周縁に接触しない溝幅とされる。さらに、案内溝２１は、抜き勾配に応じた傾斜角を有するので、基板８の先端部がケース２の内部に収容される場合には、基板８の不図示の幅方向両端部を容易に案内溝２１に挿入することができる。基板８は、幅方向両端部が案内溝２１に挿入された後に収容方向に押し込まれることによってケース２の内部に導かれる。
【００２３】
図３（ｃ）は、基板８の収容方向先端部１５が凹部１４によってケース２の底部３に固定された状態を示す図である。基板８の幅方向両端部が案内溝２１に挿入された基板８は、ケース２の底部３に向かって押されることによって、収容方向先端部１５が容易に底部３に設けられる凹部１４に挟持され固定される。この状態では、凹部１４によって固定される基板８の一端部側に対する他端部側であるコネクタ１２が実装される端部は固定されていない。図３（ｄ）は、開口５が蓋１９によって覆われた状態を示す。蓋１９は、基板８のコネクタ１２が実装される収容方向後端部２３を支持し、コネクタ１２を予め定める高さに固定する。蓋１９には、収容方向後端面２４であるコネクタ１２が実装される側の端面に当接する不図示の当接部が設けられ、収容方向に対する基板８の固定が図られる。なお、蓋１９には、コネクタ１２との接触を防止するために開口部２２が設けられる。
【００２４】
図４は、ＥＣＵ１の概略の構成を示す斜視図であり、基板８の先端部がケース２の内部に収容された状態を示す。コネクタ１２が実装された基板８が、図４に示す状態から上下逆向きになるように収容される場合であっても、蓋１９は、コネクタ１２を予め定める高さに固定し、基板８を収容方向に対して固定することができる形状とされる。
【００２５】
このように、電子部品１０が実装された基板８と、成形型に流し込んだ材料が固まることによって成形型で成形されるケース２とを備え、ケース２は、底部３と底部３の周縁部から立ち上がる胴部４とを有し、底部３が接続される胴部４の一端部側に対する他端部側に開口し、基板８は、基板８の電子部品１０が実装される実装面９と、ケース２の内部空間６に臨み、抜き勾配に応じた傾斜角を有する胴部４の内部壁面７のうちの少なくとも１つとが平行になるようにケース２の内部空間６に収容されるので、電子部品１０が実装される実装面９と内部壁面７とで囲まれる隙間１７は、開口５から底部３に向かって進むにつれて狭くなることがなく、一定の広さを確保することができる。基板８に実装された電子部品１０がケース２の底部３の近傍に配置される場合であっても、電子部品１０が開口５の近傍に配置される場合に確保される電子部品１０と内部壁面７との隙間と同一の隙間が確保される。したがって、ケース２を大型化することなく、基板８をケース２の内部に固定することができ、基板８またはケース２に変形が生じても、基板８に実装した電子部品１０がケース２の内部壁面７に接触することを防止することができる。
【００２６】
さらに、ケース２の内部壁面７には基板８を固定する凹部１４が設けられ、凹部１４は、ケース２の内部空間６に収容される基板８の実装面９と平行であって、実装面９の収容方向先端部１５を支持する支持面１６を有するので、基板８は、収容方向先端部１５の実装面９と凹部１４の支持面１６とが面接触することによって、ケース２に安定して固定することができる。
【００２７】
さらに、実装面９と、実装面９と平行な胴部４の内部壁面７との間には、予め定める距離の隙間１７が設けられるので、内部壁面７を有する胴部４の肉厚を厚くすることができ、変形が生じにくいケース２を提供することができる。
【００２８】
さらに、胴部４の内部壁面７には、基板８がケース２の内部空間６に収容されるときに、収容方向先端部１５の実装面９を支持面１６に案内する案内部が設けられるので、基板８の幅方向両端部が案内溝２１に挿入された基板８は、ケース２の底部３に向かって押されることによって、収容方向先端部１５が容易にケース２の底部３に固定される。
【００２９】
ケース２は、基板８がケース２の内部空間６に収容される方向と直交する基板８の幅方向と平行な平面であって、胴部４の中心軸を含む平面について左右対称であるので、凹部１４を２箇所設けることによって、基板８は、実装面９と、実装面９の裏面である実装面１１とが、上下逆向きになるように収容することができ、基板８に実装されるコネクタ１２も上下逆向きに配置することができる。
【符号の説明】
【００３０】
１，４１  ＥＣＵ
２，４２  ケース
３，５５  底部
４  胴部
５，４８  開口
６  内部空間
７，２０，４７  内部壁面
８，４３  基板
９，１１，５３，５４  実装面
１０，４６  電子部品
１２，４４  コネクタ
１３，５１  底面
１４，１８，５２  凹部
１５  収容方向先端部
１６  支持面
１７，５０  隙間
１９，４５  蓋
２１  案内溝
２２  開口部
２３  収容方向後端部
２４  収容方向後端面
４９  外部壁面
【図１】
2010186973.tif 000003
【図２】
2010186973.tif 000004
【図３】
2010186973.tif 000005
【図４】
2010186973.tif 000006